(57)【要約】  本発明は、それぞれが文書に格納される第１のデータ（１０６）を描画すべく光信号を発するよう構成された、複数の駆動可能なディスプレイ素子（１０３）を有する内蔵ディスプレイ装置（１０２）を備える文書に関する。ディスプレイ装置は、連続する画像の繰り返し期間における第１データを表すべく、周期的にディスプレイ要素をトリガするように構成される。さらにディスプレイ装置は、ディスプレイ要素の少なくとも１のサブセットの光信号が視覚的に捉えることのできない遅延を伴って発せられるように構成される。【選択図】図１
2011504622.tif 000002
【特許請求の範囲】
【請求項１】
内蔵ディスプレイ装置（１０２）を備える文書であって、該ディスプレイ装置は、複数の駆動可能なディスプレイ素子（１０３）を備え、該ディスプレイ素子のそれぞれは、該文書内に記憶される第１のデータ（１０６）の描画のために光信号を放出するように構成されており、前記ディスプレイ装置は、連続して続く画像再生期間において前記第１のデータを描画するために、前記ディスプレイ素子を周期的に駆動するように構成されており、前記ディスプレイ装置は、少なくとも前記ディスプレイ素子のサブセットの前記光信号の前記放出が経時的遅延を伴って行われるように構成されており、該経時的遅延は視覚的に捉えることができず、該経時的遅延の長さに情報が符号化されており、前記サブセットの前記ディスプレイ素子の配置に情報が符号化されている文書。
【請求項２】
前記サブセットに属する前記ディスプレイ素子の駆動を遅延させる手段（１２３；１４２、１４４）を備える請求項１に記載の文書。
【請求項３】
前記ディスプレイ素子はアクティブマトリクスで配置されており、前記ディスプレイ素子のそれぞれには起動回路が関連付けられており、前記サブセットに属する前記ディスプレイ素子の前記起動回路は、駆動を遅延させる手段を含む請求項１または２に記載の文書。
【請求項４】
前記サブセットの前記ディスプレイ素子は、前記遅延をもたらす応答特性を有し、前記ディスプレイ素子は、前記光信号を生成する発光性物質を備え、前記サブセットの前記ディスプレイ素子は、前記発光性物質の第１の母体結晶を備え、前記サブセットに属さない残りの前記ディスプレイ素子は、前記発光性物質を収容する第２の母体結晶を備え、前記第１の母体結晶及び前記第２の母体結晶は異なる請求項１から３のうちいずれか一項に記載の文書。
【請求項５】
前記ディスプレイ装置は、前記サブセットの前記ディスプレイ素子が配置されていない領域を備える請求項１から４のうちいずれか一項に記載の文書。
【請求項６】
前記情報は、個人情報、セキュリティ機能、および暗号キーのうちの少なくとも１つである請求項１から５のうちいずれか一項に記載の文書。
【請求項７】
前記経時的遅延によって情報が出力され、該情報は経時的に可変であり、前記文書は、該経時的に可変な情報を出力するために、前記経時的遅延を変化させる手段（１２３）を備える請求項１から６のうちいずれか一項に記載の文書。
【請求項８】
前記文書は、集積電子回路（１０４）と、保護を要するデータ（１２７）を記憶する記憶装置（１２６）と、暗号プロトコルを実行する手段（１３０）とを含み、読み取り装置（１０８）に対するインタフェース（１２４）を備え、前記インタフェースを介して、前記保護を要するデータへ前記読み取り装置がアクセスするには、前記情報を用いる前記暗号プロトコルの実行が前提となる請求項１から７のうちいずれか一項に記載の文書。
【請求項９】
電子車両識別情報である請求項１から８のいずれか一項に記載の文書。
【請求項１０】
前記第１のデータ（１０６）は車両の識別情報であり、前記経時的遅延によって情報が出力され、該情報は、車両パラメータおよび料金状況の少なくとも一方である請求項１から９のうちいずれか一項に記載の文書。
【請求項１１】
請求項１から１０のうちいずれか一項に記載の文書のための読み取り装置であって、前記ディスプレイ素子の前記サブセットからの前記光信号の放出の前記経時的遅延をキャプチャする光センサ（１１０）を備える読み取り装置。
【請求項１２】
前記経時的遅延のキャプチャは、前記ディスプレイ素子によって放出される放射の時間分割された強度分析のキャプチャによって行われる請求項１１に記載の読み取り装置。
【請求項１３】
前記ディスプレイ装置によってキャプチャされる前記経時的遅延を用いて前記文書を検証する手段（１３６）を備える請求項１１または１２に記載の読み取り装置。
【請求項１４】
暗号プロトコルを実行する手段（１３８）と、前記文書との通信のためのインタフェース（１３２）とを備え、前記文書の前記保護を要するデータ（１２７）へのアクセスは、前記経時的遅延からキャプチャされる情報を用いた前記暗号プロトコルの実施に成功していることを前提とする請求項１１から１３のうちいずれか一項に記載の読み取り装置。
【請求項１５】
請求項１から１０のうちいずれか一項に記載の文書を検証する方法であって、
画像再生期間における前記サブセットの前記ディスプレイ素子からの前記光信号の放出の前記経時的遅延をキャプチャするステップと、
前記経時的遅延を用いて基準情報を調べるステップと、
を含む方法。
【発明の詳細な説明】
【技術分野】
【０００１】
本発明は、内蔵ディスプレイ装置を有する文書、特に、有価文書または機密文書、リーダ、および文書の検証方法に関する。
【背景技術】
【０００２】
電子回路を内蔵した様々な形式の文書自体は、従来技術において知られている。例えば、紙幣、電子的なパスポートなど、主に紙ベース、もしくは特に、スマートカードと呼ばれる接触式カード、非接触、またはデュアルインタフェース設計のプラスチックベースのチップカードなどの、有価文書または機密文書が存在する。これらに関し、特に独国特許出願公開第１０  ２００５  ０２５  ８０６号明細書を参照する。
【０００３】
従来技術においては、特に、このような文書のための、無線周波数識別システム（ＲＦＩＤ）とも呼ばれる、様々な無線認識システムが知られている。従来から公知のＲＦＩＤシステムは一般的に、少なくとも１のトランスポンダおよび送信／受信ユニットを含む。トランスポンダはＲＦＩＤエチケット、ＲＦＩＤチップ、ＲＦＩＤタグ、ＲＦＩＤラベル、もしくは無線タグとも呼ばれ、送信／受信ユニットは読み取り装置、読み取りユニット、もしくはリーダとも呼ばれる。さらに、例えばレジシステムや在庫管理システムにおいて、いわゆるミドルウェアによって、サーバ、サービス、およびその他のシステムと統合される場合が多い。
【０００４】
例えば非接触型ＲＦＩＤトランスポンダ格納されたデータは、無線波によって利用可能となる。これは、低周波帯においては近接場で、高周波帯においては遠方電磁界で、誘導的に行われる。
【０００５】
通常、ＲＦＩＤトランスポンダは、担体または筐体に格納、もしくは基板に印刷された、マイクロチップとアンテナとを含む。アクティブ型ＲＦＩＤトランスポンダは、パッシブトランスポンダとは対照的に、電池のような電源も含む。
【０００６】
ＲＦＩＤトランスポンダは、特にチップカード、例えば電子財布または電子チケットの発券などを実現するべく、様々な文書に用いられてよい。また、ＲＦＩＤトランスポンダは、特に紙幣および身分証明書といった、有価文書もしくは機密文書などの紙またはプラスチックに内蔵されている。
【０００７】
独国特許出願公開第２０１  ００  １５８号明細書によると、ＲＦＩＤ処理を実行するアンテナを有する集積化半導体を持つ、積層および／または押し出し成形されたプラスチックで形成されている身分証明書およびセキュリティカードが知られている。さらに、独国特許出願公開第１０  ２００４  ００８  ８４１号明細書によると、トランスポンダユニットを有する、例えば、パスポートなどの冊子状の有価文書が知られている。
【０００８】
これらの種類の機密文書および有価文書は、例えば、独国特許出願公開第１０  ２００５  ０３０  ６２６号明細書、独国特許出願公開第１０  ２００５  ０３０  ６２７号明細書、独国特許出願公開第１０  ２００５  ０３０  ６２８号明細書、国際公開第２００４／０８０１００号パンフレット、欧州特許第１  ０２３  ６９２号明細書、独国特許第ＤＥ  １０２  １５  ３９８号明細書、欧州特許第１  １７３  ８２５号明細書、欧州特許第１  ２３０  ６１７号明細書、欧州特許第１  ３０３  ８３５号明細書、欧州特許第１  ５３７  ５２８号明細書、国際公開第０３／０３００９６号パンフレット、欧州特許第０  ９２０  ６７５号明細書、米国特許第６，０１９，２８４号明細書、米国特許第６，４０２，０３９号明細書、および国際公開第ＷＯ  ９９／３８１１７号明細書に記載の公知の種類の内蔵ディスプレイ装置を有してよい。
【０００９】
機密文書または有価文書は、接触型インタフェースまたはＲＦＩＤインタフェースなどの非接触型インタフェース、もしくは、チップカード端子との有線および無線通信を可能とするインタフェースを備えてよい。後者は、いわゆるデュアルインタフェースチップカードのことでもある。チップカード通信プロトコルおよびその手順は、例えば、ＩＳＯ７８１６、ＩＳＯ１４４４３、およびＩＳＯ１５７６３規格に定められている。
【００１０】
このようなＲＦＩＤ機能を有する文書においては、ＲＦＩＤインタフェースを文書の所有者の合意なしにアクティベートできるという問題がある。このような文書のデータを無許可で読み取ることに対する、渡航文書の保護機構は基本アクセス制御（ｂａｓｉｃ  ａｃｃｅｓｓ  ｃｏｎｔｒｏｌ）として知られている。Ｉｎｔｅｒｎａｔｉｏｎａｌ  Ｃｉｖｉｌ  Ａｖｉａｔｉｏｎ  Ｏｒｇａｎｉｚａｔｉｏｎ  （ＩＣＡＯ）「Ｍａｃｈｉｎｅ  Ｒｅａｄａｂｌｅ  Ｔｒａｖｅｌ  Ｄｏｃｕｍｅｎｔ」，  Ｔｅｃｈｎｉｃａｌ  Ｒｅｐｏｒｔ，  ＰＫＩ  ｆｏｒ  Ｍａｃｈｉｎｅ  Ｒｅａｄａｂｌｅ  Ｔｒａｖｅｌ  Ｄｏｃｕｍｅｎｔｓ  Ｏｆｆｅｒｉｎｇ  ＩＣＣ  Ｒｅａｄ−Ｏｎｌｙ  Ａｃｃｅｓｓ，  Ｖｅｒｓｉｏｎ  １．１，  Ｏｃｔｏｂｅｒ  ０１，  ２００４を参照されたい。また、生体データの特殊な保護方法、すなわち、いわゆる拡張アクセス制御（ｅｘｔｅｎｄｅｄ  ａｃｃｅｓｓ  ｃｏｎｔｒｏｌ）を記載した上述の独国特許出願公開第１０  ２００５  ０２５  ８０６号明細書を参照されたい。
【００１１】
本願出願時には未公開であり、本出願と出願人を同じくする独国特許出願１０  ２００６  ０３１  ４２２．０−５３号明細書によると、ユーザによって認識され得ない、機械可読の光信号を発するディスプレイ装置を有する有価文書または機密文書が知られている。
【００１２】
国際公開第２００７／１３７５５５号明細書によると、電子的に構成可能な、車両識別情報ディスプレイが知られている。車両識別情報ディスプレイを構成するべく、データが外部の構成ユニットで収集され、暗号化される。暗号化されたデータは、構成ユニットに内蔵された赤外線送信器によって、赤外線信号として送信される。車両識別情報向けのディスプレイ回路では、信号が復号化されることから、ディスプレイ回路には対応の復号化ソフトウェアが格納されている。電子的な車両識別情報については、米国特許第５，６５７，００８号明細書および米国特許出願公開第２００７／０２８５３６１号明細書に詳しい。
【発明の概要】
【発明が解決しようとする課題】
【００１３】
本発明は対照的に、より改善された文書、文書のリーダ、および文書の検証方法の作成における問題に関する。
【課題を解決するための手段】
【００１４】
本発明が解決する問題のそれぞれは、独立請求項の特徴によって解決される。本発明の実施形態を従属項に記載する。
【００１５】
本発明の実施形態によると、アクティベート可能ないくつかのディスプレイ素子を有する、集積ディスプレイデバイスを有する文書が作成される。各ディスプレイ素子は、ディスプレイ装置上でユーザによって視覚的に捕え得るように、文書のメモリに格納された画像データを描画すべく光信号を発する。ディスプレイ素子のアクティベーションは、ある画像再生周波数、例えば２５Ｈｚまたは５０Ｈｚなどで周期的に繰り返される。格納されたデータの描画に寄与する光信号を発するべく、ディスプレイ素子の各々が各画像再生においてアクティベートされる。従って、各ディスプレイ素子を手段として、例えばいわゆるピクセルまたはサブピクセルが実現される。
【００１６】
ディスプレイ装置のサブセットの場合、光信号の発射は、画像再生期間内に経時的遅延を伴って発生する。ここでの経時的遅延は極めて短く、視認不可能である。具体的には、経時的遅延は画像再生期間の長さに比べ極めて短く、また、マトリクスのラインをアクティベートする期間の長さと比べても極めて短い。従って、文書中に格納されたデータの描画の視覚的な印象は、経時的遅延の結果としては変化しない。
【００１７】
ディスプレイ素子のサブセットの光信号の発射における経時的遅延には、特に、本発明による文書を再現することが、より困難であるという利点がある。まず、遅延が裸眼では視認不可能であることから、偽造者はディスプレイ素子のサブセットによる光信号の発射が遅延を伴うという事実を知り得ない。
【００１８】
さらに、光信号の発射の遅延は、文書のあるサブセクションのみに関連し、偽造者はこの文書のサブセクションがどこに位置するのかを知り得ないことから、結果として、文書のサブセクションの再現はより困難となる。
【００１９】
本発明のある実施形態によると、情報は経時的遅延の長さに符号化される。例えば、第１の画像再生期間においては、すべてのディスプレイ素子についてのデータの描画が経時的な遅延なく行われる。これは、例えば論理０（ｌｏｇｉｃａｌ  ｚｅｒｏ）に相当する。続く第２の画像再生期間においては、ディスプレイ素子によるデータの描画は経時的遅延を伴い、論理１（ｌｏｇｉｃａｌ  ｏｎｅ）を表す。
【００２０】
これに代えて、ある特定の画像再生期間では、光信号の発射は、ディスプレイ素子のサブセット内でのみ、サブセットの全てのディスプレイ素子で同様に経時的遅延を伴って発生する。一方で、サブセットの一部ではない、ディスプレイ装置の残りのディスプレイ素子を手段とする光信号の発射は、経時的遅延を伴わずに、もしくは当該サブセットとは異なる経時的遅延を伴って行われる。経時的遅延がディスプレイ素子のサブセットの光信号の発射において発生することに起因して、文書にセキュリティ機能が備わる。
【００２１】
本発明のある実施形態によると、サブセットのディスプレイ素子の空間的構成に情報が符号化される。例えば、サブセットのディスプレイ素子は、それらの空間的構成の結果、ディスプレイ装置に特定のパターンを形成する。つまり、このパターンがセキュリティ機能を提供し得る。
【００２２】
本発明のある実施形態によると、文書は、サブセットの一部であるディスプレイ素子のアクティベーションを遅延させる手段を有する。例えば、アクティベーションの遅延手段は、駆動ロジックのレベルで実現される。
【００２３】
本発明のある実施形態によると、ディスプレイ装置は、アクティブマトリクスディスプレイであり、ディスプレイ素子の各々は、関連付けられたアクティベーション回路を有する。この実施形態では、アクティベーションの遅延手段がアクティベーション回路のレベルで実現されてよい。
【００２４】
本発明のある実施形態によると、ディスプレイ素子のアクティベーションにマトリックスのラインおよび／またはカラムのラインを用いる。この実施形態では、マトリクスのラインおよび／またはカラムのラインのレベルでアクティベーションの遅延手段が実現されてよい。
【００２５】
本発明のある実施形態によると、サブセットの遅延素子は、遅延に繋がる応答特性を有する。サブセットの一部であるディスプレイ素子を含む、ディスプレイ装置の全てのディスプレイ素子は、画像再生期間内に同様にアクティベートされる。サブセットのディスプレイ素子による、光信号の発射における経時的遅延は、サブセットに所属するディスプレイ素子の応答特性によって具体化される。この応答特性は、サブセットに所属しないディスプレイ素子の応答特性とは異なる。
【００２６】
当該異なる応答特性は、例えば、サブセットのディスプレイ素子が、サブセットに所属しないディスプレイ素子のものとは異なる発光性物質を有することによって制約される。例えば、サブセットのディスプレイ素子に用いられ得る発光性物質のフェードアウト時間がいくらか長い場合、その他のディスプレイ素子に用いられる発光性物質と比較すると、応答動作が遅延する。サブセットの場合、例えばこれが色に関連するサブピクセルの数であってよい。
【００２７】
本発明のある実施形態によると、ディスプレイ装置の全てのディスプレイ素子、または、例えば赤などの特定色を示すべく用いられる全てのディスプレイ素子は、例えば、ユーロピウムをわずかに含む化合物といった同一の発光体物質を有する。この実施形態では、サブセットのディスプレイ素子の異なる応答特性は、これらのディスプレイ素子の発行物質の母体結晶が、その他のディスプレイ素子とは異なることに起因する。さらなる実施形態では、サブセットは、特定色を表現するべく用いられる特別な応答特性を有するディスプレイ素子を含む。
【００２８】
この結果、ディスプレイ装置の代わりに一般的なディスプレイ装置が用いられても文書は保護される。
【００２９】
本発明のさらなる実施形態によると、応答特性および／または減衰特性に加え、スペクトル特性が認証に用いられる。例えば、ユーロピウムをわずかに含む上述の化合物は、異なるライフサイクルを有するのみならず、ある正確な位置、または発光ラインの強度関係において特徴的である。
【００３０】
本発明のある実施形態によると、文書に集積されたディスプレイ装置は、アクティブまたはパッシブマトリクスディスプレイ、もしくはセグメントディスプレイである。
【００３１】
具体的には、ディスプレイ装置は、電気泳動ディスプレイまたはエレクトロクロミックディスプレイ、双安定ディスプレイ、回転要素ディスプレイ、特にいわゆる電子ペーパ（ｅ−ｐａｐｅｒ）、ＬＥＤディスプレイ、特に無機、有機、またはハイブリッド型のＬＥＤディスプレイ、例えばＴＮ型、ＳＴＮ型、コレステリック、ネマチックなどの多様な実施形式の液晶ディスプレイ、強誘電性ディスプレイ、液滴駆動型ディスプレイ、干渉変調（ＩＭＯＤ）素子によるディスプレイ、ハイブリッドディスプレイ、もしくは、例えばＣｉｔａｌａ社（ｗｗｗ．ｃｉｔａｌａ．ｃｏｍ）が販売するフレキシブルディスプレイに基づいたディスプレイであってよい。米国特許出願公開２００６／０２５０５３５号明細書および国際公開２００７／０５４９４４号明細書を参照されたい。
【００３２】
文書に格納されたデータは、ディスプレイ装置における画像描画の生成に適切な様々なコンテンツを有してよい。これは、例えば、人物の顔画像などのデジタル画像、紋章、封印、文字情報、バーコード、車両識別情報またはその類似などの識別情報を意味する。
【００３３】
本発明のある実施形態によると、光信号の発射の遅延を手段としてディスプレイ素子によってディスプレイ上に表示される情報は、個人情報、セキュリティ機能および／または暗号化キーである。
【００３４】
個人情報は、例えば、文書の所有者の名前、住所、慎重、年齢、性別、体重などであってよい。この情報の全てまたは一部は、格納されたデータの描画により、ディスプレイ装置に明確な文字として表示されてよい。
【００３５】
本発明のある実施形態によると、情報とは、例えば、紋章、封印、またはその類似などのセキュリティ特性である。この情報は、例えば、サブセットの画像要素の空間的な位置によって表示される。
【００３６】
本発明のある実施形態によると、情報とは、暗号キーである。暗号キーは、相似キーまたは非相似キーであってよい。暗号キーがリーダによってキャプチャされることで、リーダは文書と共に暗号プロトコルを実行可能となる。
【００３７】
本発明のある実施形態によると、情報とは、車両のパラメータおよび／または車両の料金状況であってよい。実施形態では、文書は電子的な車両識別情報であり、車両にもしくは車両の一部に貼付されてよい。
【００３８】
車両のパラメータとは、例えば、車両の速度、騒音レベル、または排気レベルであってよい。具体的には、特に実施中の特定事項についての指示に沿って、車両の排ガスレベルを情報が示してよい。
【００３９】
料金状況を表示することで、車両についての料金、税金、および／または徴税金、具体的には、通行料金、車両税、および／または排出税が支払い済みであるか否かを表示することができる。
【００４０】
本発明のある実施形態によると、文書は、追加のデータが格納される、保護されたメモリ領域を有する。さらに文書は、これらの追加のデータのリーダによる読み取りアクセス用のインタフェースを有する。インタフェースは、接触型または非接触型のコンタクトを必要としてよく、具体的にはＲＦＩＤインタフェースとして設計されてよい。さらにインタフェースは、いわゆるデュアルモード型インタフェースとして設計されてもよい。インタフェースの結合は、電子的、容量性、誘導性、磁性、光学的、またはその他の物理的な方法であってよい。非接触結合の手段であるアンテナは、インダクタ、ダイポール、もしくは容量性表面の形態で設計されてよい
【００４１】
リーダによる追加のデータへの読み取りアクセスに関する要件として、事前に暗号プロトコルの実行が成功していることがある。暗号プロトコルは、例えば、いわゆるチャレンジレスポンス方式であってよい。暗号プロトコルの結果、認証されていないアクセスに対して追加のデータが保護される。これは、第３のデータが機密データ、例えば生体データ、具体的には文書の所有者の指紋データまたは虹彩のスキャンデータである場合に特に有利である。
【００４２】
本発明によると、「文書」とは、紙ベースおよび／またはプラスチックベースの文書、例えばパスポート、個人識別情報文書、ビザ、運転免許証、車両登録証、車両権利証書、社員証、健康手帳、またはその他の識別情報文書などの身分証明書、またはチップカード、銀行カードおよびクレジットカードなどの支払い手段、船荷証券、またはその他の証書、およびその他を意味する。
【００４３】
「文書」という用語は、具体的には電子的な車両識別情報などの電子的なＩＤも意味する。また、文書は車両などの交通手段の一部を一体的に形成してもよい。例えば、本発明に従ってディスプレイを挿入または適用することで、前面の開口フードまたはカバーフード、もしくは、いわゆるフロントエンドまたはバックエンドに文書が一体化されてよい。
【００４４】
文書は、金属板などを用いた金属ベースであってよく、文書本体が金属板で形成されてもよい。なお、例えば車両の構築に用いられた種類の合成材など、異なる材料で文書本体が作られてもよい。
【００４５】
本発明のさらなる側面は、文書のリーダに関する。リーダは、ディスプレイ装置によって放射された光の遅延をキャプチャするセンサと、遅延によって符号化された情報の復号手段とを有する。
【００４６】
本発明のある実施形態によると、リーダは、情報を用いて文書を検証するべく設計される。例えば、リーダは受信した情報を基準情報と比較する。受信した情報と基準情報とが十分に一致することが、文書が真正であると認識されるための前提条件である。
【００４７】
本発明のある実施形態によると、リーダは、受信した情報を用いて暗号プロトコルを実行する手段を有する。この情報は、例えば暗号キーである。リーダは、暗号キーをキャプチャすることで、文書に対して暗号プロトコルを実行できる。暗号プロトコルの実行が成功すると、リーダは文書の保護されたメモリ領域にアクセス可能となり、そこに存在するデータを読み取る。
【００４８】
本発明のある実施形態によると、リーダは、通過中の交通手段の文書をキャプチャするように設計される。この実施形態では、文書は、例えば電子的な車両識別情報として設計される。リーダは、例えば、車両のパラメータ、車両の運転パラメータまたは料金状況のキャプチャ、具体的には交通制御、排気制御および／または料金制御に用いられてよい。
【００４９】
本発明のさらなる側面は、文書の検証方法に関する。文書の検証では、ディスプレイ装置によって受信された情報が基準情報と比較される。また、ディスプレイ装置によってキャプチャされた経時的遅延に加え、放射成分のキャプチャされた空間特性が検証に用いられてよい。
【図面の簡単な説明】
【００５０】
以下に図面を参照して本発明の実施形態を詳細に説明する。図面は次の通りである。
【００５１】
【図１】本発明による、文書の実施形態のブロック図である。
【００５２】
【図２】本発明による、ディスプレイ装置の実施形態のブロック図である。
【００５３】
【図３】様々な種類のディスプレイ素子の、時間分解された強度分析結果である。
【００５４】
【図４】画像再生期間内におけるライン駆動を示す信号線である。
【００５５】
【図５】経時的遅延のある場合、および経時的遅延のない場合の、ディスプレイ素子のライン駆動を示す信号線である。
【００５６】
【図６】本発明による、文書のさらなる実施形態のブロック図である。
【００５７】
以下の実施形態において互いに対応する要素は、同じ参照番号で識別する。
【発明を実施するための形態】
【００５８】
図１は、文書１００の文書本体に内蔵されたディスプレイ１０２、およびディスプレイ１０２をアクティベートする電子回路１０４を有する文書１００を示す。ディスプレイ１０２は、マトリクスなどの構成可能な複数のディスプレイ素子を含む。具体的には、ディスプレイ１０２は、パッシブまたはアクティブマトリクスディスプレイであってよい。
【００５９】
電子回路１０４は、特にデータ１０６を格納するための１またはいくつかの電子メモリ１２６を含む。電子回路１０４は、データ１０６にアクセス可能である。具体的には、電子回路１０４は、データ１０６にアクセスし、データ１０６を描画するディスプレイ１０２をアクティベートして、文書１００のユーザがデータ１０６の描画を認識できるようになることを目的としている。
【００６０】
データ１０６は、例えば画像データであってよい。ここでの「画像データ」とは、ディスプレイ１０２における描画に適したデータ、例えば、デジタル写真、文字情報、具体的には車両識別情報などの識別情報、一次元または二次元バーコードなどを意味する。
【００６１】
電子回路１０４は、ディスプレイ１０２にデータ１０６を描画するべく、画像再生期間中にディスプレイ１０２の全てのディスプレイ素子が１度アクティベートされるように設計される。これは、例えば２５Ｈｚまたは５０Ｈｚの画像再生周波数で行われてよい。
【００６２】
ディスプレイ１０２のディスプレイ素子の各々は、光信号を発射するよう設計される。電子回路１０４によるディスプレイ素子のアクティベーションの結果、文書に格納されたデータ１０６は描画され、ユーザはそれらを視認できるようになる。例えばディスプレイ素子は、１つの画像再生期間内でディスプレイ１０２に完全な画像を構築するべく、画像再生期間内にライン単位でアクティベートされてよい。
【００６３】
完全な画像の構築のための、ディスプレイ素子のサブセットからの光信号の発射が、経時的遅延を伴って１つの画像再生期間内に行われるようにディスプレイ１０２が設計される。ディスプレイ１０２の情報は、このサブセットのディスプレイ素子の空間構成および／または経時的遅延の長さに包含された、符号化された情報を含んでよい。
【００６４】
リーダ１０８は、ＣＣＤセンサまたは光学スキャナなどの光センサ１１０を有する。センサ１１０は、ディスプレイ１０２のディスプレイ素子によって発射された光信号をキャプチャするように設計される。
【００６５】
本発明の別の実施形態においては、センサ１１０は、例えば、時間分割された検知を可能にする、二次電子増倍管（ＰＭＴ、ｐｈｏｔｏｎ  ｍｕｌｔｉｐｌｉｅｒ）または、フォトトランジスタ、フォトダイオード（具体的にはアバランチフォトダイオード）または、光伝導セルからなってよい。センサ１１０の別の部分は、スペクトラル部分を選択するためのフィルタ、プリズムなどの分散要素、および／またはグリッドなどの回析要素を含んでよい。例えば、上述のユーロピウムを含む発光体物質の例では、例えば６００ｎｍより長い波長の光のみを透過させる、いわゆるロングパスフィルタが用いられてよい。その後この光は、例えばフォトダイオードで検知され、時間分割される。
【００６６】
センサ１１０は、ＵＶ光、可視光および／または赤外光を検知するように設計されてよい。ある実施形態では、検知される光は、ディスプレイ装置によって発射されたものである。さらなる実施形態では、文書に光を放射する光源をリーダが有する。文書は、この放射の形態を変化させることなく、もしくは変化させて再び発射してよい。従って、センサは、計測技術を用いて透過、発射、または反射をキャプチャし得る。光源は、発熱体（例えば、白熱灯、ネルンストランプ）、ＬＥＤ（無機、有機、またはハイブリッド）、レーザ、ガス放電灯（例えば、冷陰極ランプ、ナトリウム放電ランプ）、またはこれらの組み合わせであってよい。これらには、スペクトルの領域を選択するべく、フィルタ、分散要素（例えば、プリズム）および／または回折要素（例えば、グリッド）が設けられてよい。波長の個々の波長領域または１９０ｎｍから２５００ｎｍの間の連続スペクトルが望ましく、なかでも２５０ｎｍから１２５０ｎｍの間が特に望ましい。
【００６７】
リーダ１０８は光源を有してよい。光源は、例えば発熱体、具体的には白熱灯、ネルンストランプ、無機、有機、またはハイブリッドＬＥＤなどのＬＥＤ、レーザ、冷陰極ランプまたはナトリウム放電ランプなどのガス放電灯、もしくはこれらの組み合わせであってよい。
【００６８】
センサ１１０は、リーダ１０８の電子回路１１２に接続される。サブセットのディスプレイ装置が光信号を発射する際の経時的遅延をキャプチャすべく、センサ１１０によってキャプチャされた光信号を電子回路１１２が解析する。電子回路１１２は、経時的に遅延した光信号を発射したサブセットのディスプレイ素子の構成および／または経時的遅延に包含された情報を復号する、復号器を有してよい。基準情報は、電子回路１１２に格納され得る。
【００６９】
ある実施形態では、経時的遅延を検知するべく、スイッチオン処理および／またはスイッチオフ処理についてセンサ１１０によって計測された、時間分割された強度分析結果に対し、電子回路１１２が指数関数の一種を実行する。ここでは、スイッチをオンまたはオフにする際の、ディスプレイ素子の放射の強度の急峻な立ち上がりと落ち込みを異ならせることによって、異なる経時的遅延がもたらされる。
【００７０】
リーダ１０８は、ユーザインタフェース１１６をさらに有する。これに代えて、またはこれに加えて、リーダ１０８は、コンピュータおよび／またはネットワークへのインタフェースを有してよい。
【００７１】
リーダ１０８は、センサ１１０を用いてディスプレイ１０２の描画をキャプチャし得る。これは、リーダ１０８がディスプレイ装置１０２によって生成された描画を継続的に光学的に感知できるように、永久的に行われてよい。従って、センサ１１０は例えば高速カメラとして設計されてよい。
【００７２】
キャプチャされた情報は、例えば個人情報である。この個人情報は、文書１００に明確な文字で印字１１４されてよい。ユーザインタフェース１１６によって表示された個人情報と文書１００の印字１１４に示された個人情報とを比較することにより、文書の認証試験を行うことができる。センサ１１０によってサブセットのディスプレイ素子の経時的遅延から光学的にキャプチャされ、リーダ１０８のインタフェース１１６によって表示された個人情報は、印字１１４に示された個人情報と一致する必要がある。
【００７３】
情報は、紋章、封印、または異なるセキュリティ特性からなってよい。このセキュリティ特性の描画は、リーダ１０８のセンサ１１０によってキャプチャされ、電子回路に格納された基準情報と、電子回路１１２を手段として比較される。光学的にキャプチャされたセキュリティ特性と基準情報とが十分に一致すると、ユーザインタフェース１１６を介して音または光信号が発射され、文書１１０が認証試験に合格したか否かを表示する。
【００７４】
例えば、サブセットの全てのディスプレイ素子は、１つの画像再生期間内にそれぞれの光信号を同じ経時的遅延を伴って発射する。この場合、ディスプレイ１０２のサブセットのディスプレイ素子の空間構成の結果として、セキュリティ特性が構築され得る。
【００７５】
電子回路１０４は、リーダ１０８の電子回路１１２へ無線または光学的に送信されるトリガ信号を、画像再生期間の直前に発射するように設計されてもよい。電子回路１１２は、このトリガ信号によってのみ、センサ１１０を用いてディスプレイ１０２の描画の光学的なキャプチャを開始し、その後の画像再生期間中にディスプレイ１０２のディスプレイ素子によって発射される光信号をキャプチャする。この実施形態では、センサ１１０が、例えば時間ゲートセンサ、具体的には時間ゲートセンサＣＣＤカメラとして設計され得る。
【００７６】
これに代えて、文書１００についてこのトリガ信号を生成するようにリーダ１０８が設計されてよい。この場合、トリガ信号は、例えば電子回路１１２から電子回路１０４へ無線で送信される。その後、データ１０６を描画する完全な画像が構築される、画像再生期間を電子回路１０４が開始する。さらにリーダ１０８のトリガ信号の結果として、センサ１１０を用いてディスプレイ１０２の描画の光学的なキャプチャを電子回路１１２が開始する。
【００７７】
図２は、文書１００の別の実施形態を示す。
【００７８】
文書１００のディスプレイ１０２は、マトリクス状に構成された、いくつかのディスプレイ素子１０３を含む。ディスプレイ素子１０３の空間構成によって形成されたマトリクスは、Ｌ１からＬｎのｎ本のラインを有する。図２の実施形態では、ｎ＝５である。別の実施形態では、ｎとして著しく大きな値を選択し得る。
【００７９】
ここでは、文書１００の電子回路１０４はチップ、具体的にはＲＦＩＤチップとして設計される。電子回路１０４は、ディスプレイ１０２をアクティベートする駆動回路１２２からなる。このため、駆動回路１２２は駆動ロジック１２３を含む。
【００８０】
駆動回路１２２は、それぞれがディスプレイ１０２のラインの１本とアクティベートする、マトリクスのライン１、２、３、４、および５によってディスプレイ１０２に接続される。これに代わり、またはこれに加え、ディスプレイ素子１０３のアクティベーションはカラムラインによって行われてよい。但し、カラムラインは必ずしも必要ではなく、特にマトリクスのライン１、２、３、４、および５が、対象とするラインのすべてのディスプレイ素子１０３をアクティベートするデータバスとして設計される場合は、カラムラインは不要である。
【００８１】
電子回路１０４は、制御プログラムを実装するプログラム命令１３１、およびデータ１０６を復号するプログラム命令１３２を実行するプロセッサ１２８をさらに有する。復号とは、描画のことでもある。データ１０６は、例えば、標準的に符号化されたデータ形式、例えばＪＰＥＧ、ＧＩＦ、またはＴＩＦＦである。プログラム命令１３１は、データ１０６を復号し得る。電子回路１０４は、いわゆるフレームバッファである、バッファメモリ１１８をさらに有する。
【００８２】
図２の実施形態では、駆動ロジック１２３は、ディスプレイ素子をそれらの空間構成の順序でアクティベートする。つまり、駆動ロジック１２３は、１画像再生期間内に、ラインＬ１、Ｌ２、Ｌ３、Ｌ４およびＬ５のディスプレイ素子が、この順序でアクティベートされるように設計される。
【００８３】
メモリ１２６には、画像ラインＩ１、Ｉ２、Ｉ３、Ｉ４およびＩ５を有するデータ１０６が格納される。ディスプレイ１０２にデータ１０６を描画すべく、これらは、実行プログラム命令１３２によって復号され、フレームバッファ１１８の対応するラインＬＩ１、ＬＩ２、ＬＩ３、ＬＩ４およびＬＩ５に格納される。
【００８４】
駆動ロジック１２３は、フレームバッファ１１８にアクセスし、画像再生期間内にそのラインをＬＩ１、ＬＩ２、ＬＩ３、ＬＩ４、ＬＩ５の順に、またディスプレイ１０２の対応するラインをＬ１、Ｌ２、Ｌ３、Ｌ４、Ｌ５の順にアクティベートする。このアクティベーションの結果、データ１０６の完全な画像の描画の構築に必要な光信号をラインのディスプレイ素子１０３が発射する。
【００８５】
図２の実施形態では、サブセットのディスプレイ素子の光信号の発射における遅延がライン単位で発生する。このため、マトリクス２および３のラインは、それぞれ遅延素子１４２および１４４を含む。従って、ラインＬ２およびＬ３のディスプレイ素子は、ここでサブセットを形成する。
【００８６】
例えば、遅延素子１４２および１４４の遅延は指定され得る。具体的には、遅延素子１４２および１４４は、偶数のインバータのシリアル回路であってよく、各インバータは、ディスプレイ１０２の対象となるラインへの駆動回路１２２による信号送信の遅延に寄与する。遅延素子１４２および１４４の遅延は、例えば駆動回路によって生成される制御電圧の蓄積の結果、可変であってもよい。
【００８７】
これに代えて、サブセットのディスプレイ素子（つまり、ここではＬ２およびＬ３のディスプレイ素子）による光信号の発射における経時的な遅延は、駆動ロジック１２３のレベルで実装される。これを行うには、マトリクス２および３のラインのアクティベーションがそれぞれ経時的遅延を伴って行われるように、駆動ロジック１２３が設計される。
【００８８】
経時的遅延を手段として表示される情報は、可変であり得る。この場合、駆動ロジック１２３は、経時的遅延を伴ってアクティベートされるラインの選択および／またはアクティベーションの経時的遅延の長さを変更し、変更された情報を符号化する。
【００８９】
経時的遅延の変化の結果として駆動ロジック１２３がディスプレイ１０２に供給する情報は、車両のパラメータおよび／または料金状況であってもよい。この実施形態では、文書１００が、車両に貼付または車両の一部を形成する電子的な車両識別情報として設計される。
【００９０】
例えば、駆動ロジック１２３または電子回路１０４は、電子回路１０４のインタフェースへ周期的または非周期的な間隔で表示する情報を送信する、車両用電子装置とのインタフェースを有してよい。車両用電子装置は、いわゆる電子制御ユニット（ＥＣＵ）などであってよい。車両用電子装置は、車両用バスシステムを介して、表示する情報を送信するべく、電子スイッチ１０４を有する車両用バスシステムとネットワークで接続されていてよい。電子回路１０４は、受信した情報を内部的に駆動ロジックへ送信してよく、これらのディスプレイのアクティベーションの経時的遅延をこれに応じて実行する。
【００９１】
例えば、車両用電子装置は、車両パラメータのキャプチャに用いることができ、具体的にはセンサ信号によってこれを行う。例えば、あるセンサは、現在の車両の排気レベルをキャプチャする。当該現在の排気レベルは、車両用電子装置によって情報として電子回路１０４に送信され、ディスプレイ１０２に表示される。また別の車両パラメータ、例えば速度、車両による実際の騒音レベルなど、車両のその他の環境もしくは安全性パラメータが同様に扱われてよい。
【００９２】
これに代えて、またはこれに加えて、車両用電子装置は、料金状況を判断するように設計される。例えば、車両用電子装置は、通行料、税金、もしくは排気料などの料金が支払い済みであるか、もしくは未払いであるかを判断する。料金状況を示す、対応する情報は、車両用電子装置によって電子回路１０４へ送信され、ディスプレイ１０２に表示される。
【００９３】
これに応じて、ディスプレイ１０２によって表示される情報をキャプチャするリーダ１０８（図６）は、停止中および／または移動中の車両によって形成されてよい。リーダ１０８は、ディスプレイ１０２によってキャプチャされた情報が分析される、中央サーバコンピュータにネットワークで接続されてよい。
【００９４】
ここでは、データ１０６が公式の車両識別情報であってよい。従って、ディスプレイ１０２には、リーダを用いずには視認不可能な１以上の情報と共に、公式の車両識別情報が視覚的に表示される。この実施形態では、例えば、車両電子装置から車両用バスシステムを介して電子回路１０４へ最新の公式ＩＤを含むデータを送信した後に、受信したデータでデータ１０６を上書きしデータ１０６を更新することで、公式ＩＤの更新が行われる。
【００９５】
ディスプレイ１０２は、いわゆるアクティブマトリクスであってよい。この場合、各ディスプレイ素子１０３は、関連付けられたいわゆるアクティベーション回路を有する。アクティベーション回路は、駆動回路１２２のカラムラインおよびマトリクスの各ラインを介してアクティベートされ得る。この場合、経時的遅延は、サブセットのディスプレイ素子のアクティベーション回路のレベルで実現され得る。例えば、サブセットのディスプレイ素子のアクティベーション回路は、遅延素子１４２および１４４に対応する遅延素子によって、マトリクスの対象ラインおよびカラムラインに接続される。
【００９６】
これに代わって、経時的遅延の実装をアクティベーションのレベルではなく、ディスプレイ素子１０３自体のレベルで行うことも可能である。ディスプレイ素子１０３の各々は、応答特性を有する。応答特性とは、つまり、このディスプレイ１０３のアクティベーションに際する、光信号の発射の進行を示す伝達関数である。サブセットのディスプレイ素子１０３は、ディスプレイ１０２のその他のディスプレイ素子１０３の応答動作とは異なる応答動作を有するように設計される。この応答動作は、サブセットのこれらのディスプレイ素子１０３による光信号の発射における経時的遅延の結果として遅延する。
【００９７】
図３に、３の異なる種類のディスプレイ素子について、このような応答動作の経時的な進行を例示的に示す。点線で示す１種類目のディスプレイ素子は、信号の蓄積には第１半減期（１，Ａ、および信号減衰には半減期（１，Ｅを有する。実線で示す２種類目のディスプレイ素子は、信号の蓄積には第１半減期（２，Ａ、および信号減衰には半減期（２，Ｅを有する。１種類目に比べ、２種類目のスイッチオンおよびスイッチオフ動作は遅延したものである。一点鎖線で示す３種類目のディスプレイ素子は、不規則なスイッチオンおよびスイッチオフ動作を有し、理想的であると仮定される。
【００９８】
３曲線全ての下の面積、つまり発射および受け取られた光量子の数である、明るさの印象は、３曲線全てにおいて同一である。従って、観察者は技術的な補助を用いることなく、１種類目、２種類目および３種類目のディスプレイ素子を区別し得る。
【００９９】
例えば、ディスプレイ素子１０３には、サブセットの一部ではないその他のディスプレイ素子１０３よりも長いフェードアウト時間を有する、異なる発光性物質を用いることで、サブセットのディスプレイ素子１０３の遅延した応答動作を実現する。このようなフェードアウト時間の長い発光性物質の応答動作は、相応に遅延する。
【０１００】
これに代わって、全てのディスプレイ素子１０３に例えばユーロピウムなどの同じ発光性物質を用い、異なる母体結晶を用いることでそれぞれの応答動作を変化させてもよい。
【０１０１】
スイッチオンおよびスイッチオフプロセスにおける、このような発光性物質の動作の第１の近似としては、単一指数的な進行が仮定され得る。計測された、時間分割された強度分析は、次の式ａおよびｂによる。
式［ａ］：Eｘｐｏｎｅｎｔｉａｌ  Aｃｃｒｅｔｉｏｎ  ｌ  ＝  ｌｓａｔｕｒａｔｉｏｎ  ＊  （１  −  ｅ−τ／ｔ）
ｌ＝時間ｔのある時点における発光強度
ｌｓａｔｕｒａｔｉｏｎ＝飽和時の発光強度  （励起および発射が均衡）
τ＝時間定数
ｔ＝時間
式［ｂ］：Eｘｐｏｎｅｎｔｉａｌ  Dｅｃａｙ  ｌ  ＝  ｌ０  ＊  ｅ−τ＊ｔ）
ｌ＝時間ｔのある時点における発光強度
ｌ０＝ｔ＝０における発光強度
τ＝時間定数
ｔ＝時間
【０１０２】
複雑なシステムにおいては、多指数減衰が用いられてよい。これは当業者にとって公知である。
【０１０３】
ライフサイクルは、例えば、異なる母体グリッドシステム、タイプＩＩ半導体などの空間構成、または分子間エネルギー移動（ＦＲＥＴ、特にｓｐＦＲＥＴ）など、様々な物質を用いることで変化させることができる。分子における目的の金属の化学的痕跡によっても、その他の変形が可能である。
【０１０４】
ＯＬＥＤなどの放射性ディスプレイ装置を用いる場合、異なる放出物質の発光スペクトルが類似もしくは同一であっても、それらの経時的発光動作は顕著に異なり得る。蛍光とりん光とは、励起状態のライフサイクルに応じて区別される。ライフサイクルは、蛍光物質の場合＜１０−６秒であり、りん光物質の場合は＞１０−６秒である。
【０１０５】
一般的なＯＬＥＤ物質の中でも特にトリプレット（Ｔｒｉｐｌｅｔｔ）と呼ばれる物質は、セキュリティ機能として用いられる可能性を有する。これらの物質では、りん光が特徴的である。これらの物質は、励起状態のライフサイクルの長さの程度が蛍光物質とは大きく異なる。りん光では励起状態から基底状態への移行（いわゆるトリプレット状態）が不可能であるが、蛍光においてはこれが可能である（シングレット状態）。
【０１０６】
従来技術においては、いわゆるトリプレットＯＬＥＤ物質が数多く知られている。具体的には、ポリ（ｐ‐フェニレンビニレン）（ＰＰＶ、ｐ−ｐｈｅｎｙｌｅｎｅ−ｖｉｎｙｌｅｎｅ）誘導体が適切である。その他の物質としては、例えば、トリフェニルアミン環状二量体、Ｎ′‐ビス（３‐メチルフェニル）‐Ｎ、Ｎ−ビス（フェニル）ベンジディン（ＴＰＤ）、緑色有機りん光材料（ｆａｃ  ｔｒｉｓ（２−ｐｈｅｎｙｌｐｙｒｉｄｉｎｅ）  ｉｒｉｄｉｕｍ  （Ｉｒ（ｐｐｙ）３））を添加したＴＰＤ、およびオクタエチルポルフィりん白金（ＰｔＯＥＰ）を添加したＴＰＤ（Ｔｓｕｂｏｉ，  Ｔａｉｊｕ；  Ｍｕｒａｙａｍａ，  Ｈｉｄｅｙｕｋｉ；  Ｐｅｎｚｋｏｆｅｒ，  Ａｌｆｏｎｓ「（Ｉｒ（ｐｐｙ）３およびＰｔＯＥＰを添加したＴＰＤ母材の光ルミネッセンス特性（Ｐｈｏｔｏｌｕｍｉｎｅｓｃｅｎｃｅ  Ｃｈａｒａｃｔｅｒｉｓｔｉｃｓ  ｏｆ  Ｉｒ（ｐｐｙ）３  ａｎｄ  ＰｔＯＥＰ  ｄｏｐｅｄ  ｉｎ  ＴＰＤ  Ｈｏｓｔ  Ｍａｔｅｒｉａｌ．）」Ｔｈｉｎ  Ｓｏｌｉｄ  Ｆｉｌｍｓ、２００６年、４９９（１−２）  ＩＳＳＮ  ００４０−６０９０、ページ３０６−３１２）がある。
【０１０７】
従来技術においては、ＯＬＥＤの減衰定数は、テレビなどの特定のアプリケーション用の材料の減衰（フェードアウト）には時間がかかるべきではないという点においてのみ、考慮されてきた。これとは対照的に、本発明によると、増大および減衰動作を手段として、情報および／またはセキュリティ機能を符号化し得る。
【０１０８】
図４は、画像再生期間１４６を示す信号図である。画像再生期間１４６は、ラインＬ１、Ｌ２、Ｌ３…（図２）が順にアクティベートされる、マトリクス１４８、１５０、１５２、…のラインの経時的で等間隔なアクティベーション期間を含む。
【０１０９】
図５は、ラインＬ１をアクティベートする、マトリクス１４８のラインのアクティベーション期間、およびこれに続くラインＬ２をアクティベートするマトリクス１５０のラインのアクティベーション期間の例を示す。
【０１１０】
マトリクス１４８のラインのアクティベーション期間中は、ラインＬ１のディスプレイ素子１０３は、経時的に等間隔なピクセル信号１５４を伴って順にアクティベートされる。ここでは、ディスプレイ素子１０３によってそれぞれ発射される光信号の強度が指定されている。従って、画像再生期間１４６内のピクセル信号１５４およびマトリクス１４８、１５０、１５２、…のラインのアクティベーション期間のタイミングは、予め確定される。
【０１１１】
サブセットの一部であるラインＬ２のディスプレイ素子１０３のアクティベーションは、ディスプレイ素子１０３のアクティベーションの予め確定されたタイミングとは異なり、図５に示すように経時的遅延ΔＴで発生する。この経時的遅延ΔＴは、電子回路１２２によるラインＬ２のアクティベーションのために、マトリクス２のラインによってラインＬ２へ送信される、遅延したアクティベーション信号の結果である。マトリクス２のラインには、遅延素子１４２が存在する。これに代わって、遅延ΔＴは、駆動ロジック１２３による、対応して遅延した信号生成を手段として発生してもよい。
【０１１２】
図６は、本発明による、別の実施形態の文書１００およびリーダ１０８を示す。
【０１１３】
ここでの文書１００の電子回路１０４は、チップ、具体的にはＲＦＩＤとして設計される。電子回路１０４は、リーダ１０８と通信する、文書１００のインタフェース１２４に接続されている。インタフェース１２４は、例えば、文書１００の端部へ向かって延伸する、１以上のアンテナの巻線を有し得る。
【０１１４】
回路１０４は、保護されるべきデータ１２７を格納するための電子メモリ１２６を有する。保護されるべきデータ１２７は、例えば、文書１００の所有者の生体データ、具体的には、指紋データ、虹彩のスキャンデータ、またはその類似であってよい。保護されるべきデータ１２７は、メモリ１２６内の特別に保護されたメモリ部分に格納される。
【０１１５】
さらに、同じメモリ１２６内、もしくは文書１００の異なる電子ストレージ装置内に、データ１０６および情報１０７が格納される。回路１０４は、プログラム命令１３０を実行するプロセッサ１２８をさらに有する。この実行の結果、文書に関する暗号化プロトコルの段階が実装される。さらに、プロセッサ１２８は、制御プログラム１３１を実装するプログラム命令も実行する。
【０１１６】
リーダ１０８は、ディスプレイ１０２のディスプレイ素子１０３（図２を参照）によって放射された光信号をキャプチャする光センサ１１０を有する。光センサ１１０は、ＣＣＤセンサまたはスキャナであってよい。
【０１１７】
さらに、リーダ１０８は、文書１００のインタフェース１２４に対応するインタフェース１３２を有する。例えば、インタフェース１３２は、文書１００またはその回路１０４とＲＦＩＤ通信を行うべく設計される。インタフェース１２４および１３２は、接触型、非接触型、もしくはデュアルモード型のインタフェースであってよい。インタフェース１２４および１３２の結合は、電子的、容量性、誘導性、磁性、光学的、またはその他の物理的な方法であってよい。非接触結合の手段であるアンテナは、インダクタ、ダイポール、もしくは容量性表面の形態で設計されてよい。
【０１１８】
文書１０８は、リーダ１０８に影響する暗号化プロトコルの段階の実装手段であるプログラム命令１３８と、制御プログラム１３６とを実行する、少なくとも１のプロセッサ１３４を有する。さらに、リーダ１０８は、アプリケーションプログラム１４０を実行してよい。また、アプリケーションプログラム１４０は、リーダ１０８に接続された異なるコンピュータシステムによって実行されてよい。
【０１１９】
プログラム命令１３１によって実装される文書１００の制御プログラムは、データ１０６を描画するべく、駆動回路１２２をアクティベートするように設計される。従って、駆動回路は、サブセットのディスプレイ素子のアクティベーションにおける遅延を符号化するべく、情報１０７にアクセスする。これに代えて、遅延は予め確定されていてよく、この場合には、画像再生期間内に遅延を伴ってアクティベートされるディスプレイ要素の選択を手段として、情報の符号化が行われる。
【０１２０】
リーダ１０８は、メモリ１２６のデータ１２７にアクセスするべく、その光センサ１１０によってまずディスプレイ１０２をキャプチャする。従って、センサ１１０は制御プログラム１３６によって対応してアクティベートされる。制御プログラム１３６は、サブセットの遅延素子１０３の構成および／または遅延の中に符号化された情報を復号化して、情報を受信する。このように、制御プログラム１３６は暗号キーに関する情報を受信する。
【０１２１】
暗号器キーの受信後、制御プログラム１３６は、プログラム命令１３８の実行を開始する。これにより、リーダ１０８と文書１００との間の暗号プロトコルが暗号キーを用いて実行される。暗号プロトコルは、例えばチャレンジ／レスポンスプロセスである。
【０１２２】
チャレンジ／レスポンスプロセスは、例えば、まずリーダ１０８がデータ１２７のリクエストを文書１００のインタフェース１２４に送信するように進行してよい。その後、プログラム命令１３０の実行が開始される。これにより、文書１００は、例えば、暗号キーの参照値に相似して暗号化された任意の数を作成し、結果を暗号化する。暗号化された任意の数、つまり暗号は、文書１００のインタフェース１２４からリーダ１０８のインタフェース１３２へ送信される。
【０１２３】
プログラム命令１３８の実行の結果、リーダ１０８は、予め受信した暗号キーを用いて文書１００が受信した暗号を復号化する。復号化の結果は、インタフェース１３２によって文書１００のインタフェース１２４へ送信される。
【０１２４】
その後、文書１００は、リーダ１０８から文書が受信した暗号の復号化の結果が、初めに文書１００によって作成された任意の数と一致するか否かを、プログラム命令１３０を用いてテストする。一致する場合は、プログラム命令１３０に含まれた、もしくはこれらによってアクセス可能な、暗号化キーの参照値が、リーダ１０８によってキャプチャされたディスプレイ１０２の画像描画の暗号キーと一致する。この結果、文書１００の信頼性およびリーダ１０８のアクセス権が与えられる。
【０１２５】
その後、文書１００は、リーダ１０８によってリクエストされたメモリ１２６のデータ１２７をインタフェース１２４からインタフェース１３２へ送信する。これらのデータは、その後の処理のために、制御プログラム１３６によってアプリケーションプログラム１４０へ送信されてよい。例えば、データはモニターマスクに表示される。
【０１２６】
メモリ１２６からリーダ１０８へデータが送信される前に、拡張アクセス制御（ＥＡＣ）などの追加のテストが要件とされてよい。これに代わり、またはこれに加えて非対称キーを用いた暗号化プロトコルが用いられてもよい。
【符号の説明】
【０１２７】
１  マトリクスのライン
２  マトリクスのライン
３  マトリクスのライン
４  マトリクスのライン
５  マトリクスのライン
１００  文書
１０２  ディスプレイ
１０３  ディスプレイ素子
１０６  データ
１０７  情報
１０８  リーダ
１１０  センサ
１１２  回路
１１４  印字
１１６  ユーザインタフェース
１１８  フレームバッファ
１２２  駆動回路
１２３  駆動ロジック
１２４  インタフェース
１２６  メモリ
１２７  データ
１３０  プログラム命令
１３１  プログラム命令
１３２  プログラム命令
１３４  プロセッサ
１３６  制御プログラム
１３８  プログラム命令
１４０  アプリケーションプログラム
１４２  遅延素子
１４４  遅延素子
１４６  画像再生期間
１４８  ライン駆動期間
１５０  ライン駆動期間
１５２  ライン駆動期間
１５４  ピクセル信号
【図１】
2011504622.tif 000003
【図２】
2011504622.tif 000004
【図３】
2011504622.tif 000005
【図４】
2011504622.tif 000006
【図５】
2011504622.tif 000007
【図６】
2011504622.tif 000008
【国際調査報告】
2011504622.tif 000009
2011504622.tif 000010
2011504622.tif 000011
2011504622.tif 000012
2011504622.tif 000013
2011504622.tif 000014
2011504622.tif 000015
2011504622.tif 000016
2011504622.tif 000017